(57)【要約】【課題】開口部のエッジに電線が接触することを抑制することが可能な電線カバーおよび電線カバー付きコネクタを提供する。【解決手段】ハウジング１０から後方に引き出された電線Ｗを内部に収容して所定の方向に屈曲させ、電線引出口３４から外部に引き出すカバー本体２１と、前記カバー本体２１のうち前記電線引出口３４の対向面を切り欠いた開口部３６の周方向に形成されたエッジ部３７と、前記カバー本体２１の内面に突設され、前記エッジ部３７と隣接して内方に突出する湾曲面３９を有する突出部３８と、を備えている。【選択図】図１
2017157416.tif 000002
【特許請求の範囲】
【請求項１】
ハウジングから後方に引き出された電線を内部に収容して所定の方向に屈曲させ、電線引出口から外部に引き出すカバー本体と、
前記カバー本体のうち前記電線引出口の対向面を切り欠いた開口部の周方向に形成されたエッジ部と、
前記カバー本体の内面に突設され、前記エッジ部と隣接して内方に突出する湾曲面を有する突出部と、
を備えている電線カバー。
【請求項２】
請求項１に記載された電線カバーと、
前記電線カバーが取り付けられるハウジングと、を備えている電線カバー付きコネクタ。
【請求項３】
前記電線カバーが、前記ハウジングに対して後方から前方に押し込まれて仮の取付位置に取り付けられた後、前後方向に対して交差する方向にスライドされて正規の取付位置に至るものとされ、
前記仮の取付位置において前記突出部が前記電線に接触する位置に配されるようになっており、
前記ハウジングに、前記電線カバーを前記仮の取付位置に案内するガイド部が設けられ、
前記電線カバーに、前記ガイド部に沿って案内される被ガイド部が設けられている請求項２に記載の電線カバー付きコネクタ。
【発明の詳細な説明】
【技術分野】
【０００１】
本発明は、電線カバーおよび電線カバー付きコネクタに関する。
【背景技術】
【０００２】
従来、ハウジングに電線カバーが取り付けられている電線カバー付きコネクタが知られている。ハウジングから引き出された電線は、電線カバーにより所定の方向に屈曲される。電線カバーは、ハウジングから引き出された電線を内部に収容するカバー本体を有し、カバー本体には、電線を外部に引き出す電線引出口が設けられている。
【０００３】
例えば下記特許文献１に記載された電線カバーは、カバー本体のうち電線引出口と反対側の端部に、開口部が形成されている。開口部は、後方に切り欠かれた形態をなしている。電線カバーをハウジングに取り付けると、ハウジングの幅方向における端部から引き出された電線が開口部に入って逃がされる。これにより、開口部がない電線カバー（全ての電線がカバー本体の壁部の内側に収容される電線カバー）に比して、電線カバーの幅方向の寸法を小さく抑えることができる。
【先行技術文献】
【特許文献】
【０００４】
【特許文献１】特開２０１１−１９８５１６号公報
【発明の概要】
【発明が解決しようとする課題】
【０００５】
しかしながら、上記のような構成では、電線カバーをハウジングに取り付けるときに、開口部のエッジに電線が接触することがある。電線が開口部のエッジに接触すると、電線が傷つく虞があるため対策が望まれていた。
【０００６】
本発明は上記のような事情に基づいて完成されたものであって、開口部のエッジに電線が接触することを抑制することが可能な電線カバーおよび電線カバー付きコネクタを提供することを目的とする。
【課題を解決するための手段】
【０００７】
本発明の電線カバーは、ハウジングから後方に引き出された電線を内部に収容して所定の方向に屈曲させ、電線引出口から外部に引き出すカバー本体と、前記カバー本体のうち前記電線引出口の対向面を切り欠いた開口部の周方向に形成されたエッジ部と、前記カバー本体の内面に突設され、前記エッジ部と隣接して内方に突出する湾曲面を有する突出部と、を備えている。
本発明の電線カバー付きコネクタは、前記電線カバーと、前記電線カバーが取り付けられるハウジングと、を備えている。
【発明の効果】
【０００８】
本発明によれば、ハウジングから後方に引き出された電線は、開口部のエッジ部ではなく突出部の湾曲面に接触するから、開口部のエッジ部に電線が接触することを抑制することができる。
【図面の簡単な説明】
【０００９】
【図１】本実施例における電線カバー付きコネクタであって、電線カバーを仮の取付位置に取り付ける様子を表す断面図
【図２】ハウジングを示す側面図
【図３】ハウジングを示す背面図
【図４】電線カバーを示す平面図
【図５】電線カバーを示す断面図
【図６】電線カバーを示す背面図
【図７】電線引出口側を示す電線カバーの側面図
【図８】開口部側を示す電線カバーの側面図
【図９】係止部が第１ガイド部に沿って案内されて電線カバーが仮の取付位置に至る様子を示す電線カバー付きコネクタの一部拡大断面図
【図１０】係止部が第２ガイド部に沿って案内されて電線カバーが正規の取付位置に至る様子を示す電線カバー付きコネクタの一部拡大断面図
【図１１】電線カバーが仮の取付位置に取り付けられている状態を示す電線カバー付きコネクタの平面図
【図１２】電線カバーが正規の取付位置に取り付けられている状態を示す電線カバー付きコネクタの平面図
【発明を実施するための形態】
【００１０】
本発明の好ましい形態を以下に示す。
本発明の電線カバー付きコネクタは、電線カバーが、前記ハウジングに対して後方から前方に押し込まれて仮の取付位置に取り付けられた後、前後方向に対して交差する方向にスライドされて正規の取付位置に至るものとされ、前記仮の取付位置において前記突出部が前記電線に接触する位置に配されるようになっており、前記ハウジングに、前記電線カバーを前記仮の取付位置に案内するガイド部が設けられ、前記電線カバーに、前記ガイド部に沿って案内される被ガイド部が設けられているものとしてもよい。
【００１１】
このような構成によれば、電線カバーが、確実に、開口部のエッジ部ではなく突出部の湾曲面が電線に接触する位置に配されるから、電線カバーの取り付け過程において開口部のエッジ部に電線が接触することを防ぐことができる。
【００１２】
＜実施例＞
以下、本発明を具体化した一実施例について、図１〜図１２を参照しつつ詳細に説明する。
本実施例における電線カバー付きコネクタＣは、ハウジング１０と、ハウジング１０に取り付けられる電線カバー２０とを備えている。電線カバー２０は、ハウジング１０に対して仮の取付位置に取り付けられた後に、横方向にスライドされて正規の取付位置に至るものとされている。以下、各構成部材において、図１における下側（相手側コネクタ４０との嵌合面側）を前方、上側を後方とし、また、図１における右側（電線引出口３４が設けられている側）を右方、左側（開口部３６が設けられている側）を左方、として説明する。
【００１３】
ハウジング１０は、合成樹脂製であって、幅方向（左右方向）に長い形状をなしている。ハウジング１０には、端子金具Ｔが収容される複数のキャビティ（図示せず）が、幅方向に並べて設けられている。各端子金具Ｔは、電線Ｗの端末部に接続されている。端子金具Ｔはハウジング１０に収容されて係止され、各電線Ｗはハウジング１０の後面から後方へ引き出されて電線カバー２０により屈曲される。
【００１４】
ハウジング１０の後端部１１は、前側の部分に比して上下左右において一段内側に小さい形状をなし、ハウジング１０の後面において一段後方に突出している。電線Ｗの束は、ハウジング１０の後端部１１から後方に引き出されている。
【００１５】
ハウジング１０の後端部１１の前側には、電線カバー２０の前端縁部が内側に差し入れられる差入部１３が設けられている。差入部１３は、内側に電線カバー２０の前端縁部が入り込み可能な空間を確保して後端部１１の外側に形成されている。差入部１３の奥端面（前端面）には、差し入れられた電線カバー２０の前端が当接可能なストッパ面１３Ａが形成されている。
【００１６】
ハウジング１０の後端部１１には、電線カバー２０の係止部２８が係止可能な係止受け部１２が設けられている。係止受け部１２は、ハウジング１０の後端部１１の幅方向における両端部に、上下一対ずつ設けられている。係止受け部１２は、ハウジング１０の上下両面（図２では左右両面）に突設されている。係止受け部１２は、図１に示すように、前後方向よりも幅方向の寸法が大きい横長形状をなしている。
【００１７】
係止受け部１２は、ハウジング１０の後端部１１の後面から前方に所定の間隔をあけた位置に設けられている。係止受け部１２の後面には、前方に向かって次第に突出寸法が増すように傾斜した傾斜面が形成されている。また、係止受け部１２の後面には、ハウジング１０の上面または下面に対して略垂直をなす垂直面が形成されている。
【００１８】
係止受け部１２は、図１０に示すように、電線カバー２０が正規の取付位置に取り付けられた状態において、係止部２８の後面（第２係止面２８Ｂ）が係止する係止受け面１２Ａを有している。係止受け面１２Ａは、係止受け部１２の前面に形成されている。係止受け面１２Ａは、前後方向に対して略直角をなしている。
【００１９】
ハウジング１０には、電線カバー２０を仮の取付位置に案内する第１ガイド部１５と、仮の取付位置から正規の取付位置に案内する第２ガイド部１６とが設けられている。第１ガイド部１５および第２ガイド部１６に沿って、電線カバー２０の係止部２８が案内される。すなわち、電線カバー２０の係止部２８は、第１ガイド部１５および第２ガイド部１６に沿って案内される被ガイド部を兼ねている。
【００２０】
第１ガイド部１５は、図９に示すように、係止受け部１２の右側に隣接して設けられている。第１ガイド部１５は、係止部２８の左側面に摺動可能な第１摺接面１７と、係止部２８の前面に当接可能な突当面１８とを有している。第１摺接面１７は、係止受け部１２の右側面に形成され、突当面１８は、ストッパ面１３Ａによって構成されている。
【００２１】
ハウジング１０の左右両端部に設けられた第１ガイド部１５のうち左端部に設けられた第１ガイド部１５は、図９に示すように、係止部２８の右側面に摺動可能な第２摺接面１９を有している。第２摺接面１９は、位置決めリブ１５Ａに形成されている。位置決めリブ１５Ａは、ハウジング１０の上下両面に突設されて、前後方向に長く延びている。位置決めリブ１５Ａは、ハウジング１０の後端から前方へ直線状に延びている。第１摺接面１７および第２摺接面１９は、係止部２８の幅寸法に整合した間隔をあけて左右方向に対向配置されている。第１摺接面１７および第２摺接面１９は、略平行をなしている。第２摺接面１９の前端に突当面１８が連なって略直角をなしている。
第２ガイド部１６は、図１０に示すように、ストッパ面１３Ａおよび係止受け面１２Ａによって構成されている。
【００２２】
電線カバー２０は、合成樹脂製であって、全体として左右方向に長いキャップ状をなし、ハウジング１０の後端部１１に外嵌可能とされている。電線カバー２０は、ハウジング１０の後端部１１に沿って左右方向にスライド可能とされている。電線カバー２０は、仮の取付位置から左方（電線Ｗの引き出し方向とは反対方向）にスライド移動して正規の取付位置に配される。仮の取付位置では、図１１に示すように、ハウジング１０の後端部１１が電線カバー２０の左端部よりも左側に突出し、正規の取付位置では、図１２に示すように、ハウジング１０の後端部１１の略全体が電線カバー２０の幅寸法内に収まるようになっている。
【００２３】
電線カバー２０は、ハウジング１０から引き出された電線Ｗを内部で所定の方向に屈曲させるカバー本体２１を有している。カバー本体２１は、ハウジング１０の後面と対向配置されて電線Ｗを横方向に屈曲させる抑え板２２と、抑え板２２の上下両縁から前方に突出してハウジング１０の後端部１１に係止する上下一対の側板２３とを有している。
【００２４】
カバー本体２１は、図７に示すように、抑え板２２と一対の側板２３とによって、前面側が開放された断面略Ｕ形状に形成されている。抑え板２２の上下方向（図７では左右方向）における中間部は、上下方向に対して略平行をなす直板部２４とされ、上下方向における両端部は、円弧状をなすように湾曲した曲板部２５とされている。一対の側板２３は、上下の曲板部２５の前端から前方に、互いに略平行をなして突出している。
【００２５】
一対の側板２３は、ハウジング１０の後端部１１の上下両面に被さるようになっている。図４に示すように、側板２３の幅方向における両端部は、中間部よりも前方に突出している。すなわち、側板２３の前端部の幅方向における両端部は、前方に突出した側板突部２６とされ、中間部は、後方に凹んだ側板凹部２７とされている。
【００２６】
側板２３の前端部には、係止部２８が設けられている。係止部２８は、カバー本体２１の幅方向における両端部に、上下一対ずつ設けられている。係止部２８は、側板突部２６に設けられている。係止部２８は、カバー本体２１の内面に内向きに突設されている。
【００２７】
係止部２８は、図５に示すように、前後方向よりも幅方向の寸法が大きい横長のブロック形状をなしている。係止部２８の前面は、図１１に示すように、電線カバー２０が正規の取付位置にある状態で、ストッパ面１３Ａと係止可能な第１係止面２８Ａとされ、後面は、係止受け面１２Ａと係止可能な第２係止面２８Ｂとされている。第１係止面２８Ａおよび第２係止面２８Ｂは、前後方向（図１０では上下方向）に対して略直角な面とされている。第１係止面２８Ａは、カバー本体２１の前端縁に沿って形成されている。
【００２８】
係止部２８の後端角部には、電線カバー２０を仮の取付位置から正規の取付位置にスライド移動させる際に、係止部２８の前後方向の位置を正しく誘導するように傾斜した誘導面２９が形成されている。誘導面２９は、係止部２８の左側の角部に形成されている。
【００２９】
カバー本体２１には、係止部２８の後方に孔部３２が貫通形成されている（図６参照）。孔部３２は、抑え板２２を貫通している。孔部３２から係止部２８までの間には、側板２３の内面に溝部３３が形成されている（図５参照）。
【００３０】
係止部２８の左側には、電線カバー２０を仮の取付位置から正規の取付位置にスライドする際に、図１１に示すように、ハウジング１０の係止受け部１２の後面が摺接可能なスライド面３１が設けられている。スライド面３１は、左右方向に略平行な面とされている。電線カバー２０の左右両端部に設けられたスライド面３１のうち右側に設けられたスライド面３１は、側板凹部２７の後縁に連なっている。
【００３１】
カバー本体２１の幅方向における一端部（右端部）には、カバー本体２１の内部から外部に電線Ｗを引き出すための電線引出口３４が形成されている（図１参照）。電線引出口３４には、結束バンド３５が巻き付けられて電線Ｗの束が固定される。電線引出口３４は、抑え板２２と一対の側板２３とによって縁取られた略Ｕ字形状をなしている（図７参照）。
【００３２】
カバー本体２１の左端部（電線引出口３４と反対側の端部）には、開口部３６が形成されている。開口部３６は、後方に凹むように切り欠かれた形態をなしている（図８参照）。開口部３６の開口面積は、電線引出口３４の開口面積よりも小さくされている。
【００３３】
電線カバー２０の開口部３６は、図１に示すように、電線カバー２０が仮の取付位置にあるときには、ハウジング１０に設けられた最も左端に位置するキャビティの真後ろに配される。また、電線カバー２０の開口部３６は、図１２に示すように、電線カバー２０が正規の取付位置にあるときには、ハウジング１０の後端部１１の左端に揃って配される。
【００３４】
電線カバー２０に開口部３６が設けられることにより、電線カバー２０の幅方向の寸法が小さくなっている。これにより、ハウジング１０に取り付けられる図示しない回動式のレバーが、電線カバー２０に接触することなく、電線カバー２０の左側を通過可能となっている。開口部３６のエッジ部３７は、抑え板２２に形成された第１エッジ部３７Ｆと、側板２３に形成された第２エッジ部３７Ｓとを有している（図４参照）。
【００３５】
開口部３６を左側から見ると、図７に示すように、第１エッジ部３７Ｆは、抑え板２２の直板部２４に形成された部分から前方（図７では下方）に向かって次第に上下方向（図７では左右方向）の間隔（開口幅）が広がる形状をなしている。第２エッジ部３７Ｓは、第１エッジ部３７Ｆの前端から前後方向に対して略平行に延びている。第２エッジ部３７Ｓの上下方向の間隔は、第１エッジ部３７Ｆの上下方向の間隔よりも一段広がっている。
【００３６】
また、図４に示すように、第１エッジ部３７Ｆのうち抑え板２２の直板部２４に形成された部分は、開口部３６のエッジ部３７において最も右側（内側）に位置している。第１エッジ部３７Ｆのうち抑え板２２の曲板部２５に形成された部分は、図４に示すように、後端から前方に向かって左側（外側）に突出するように傾斜している。
【００３７】
カバー本体２１の内面には、図１に示すように、突出部３８が設けられている。突出部３８は、カバー本体２１の左端（第１エッジ部３７Ｆ）を含む部位に形成され、左端（第１エッジ部３７Ｆ）から突出部３８の右端まで、全体が緩く湾曲して内側に膨出している。突出部３８は、図５に示すように、左側の係止部２８の後方に位置している。なお、突出部３８は、抑え板２２のうち上下の孔部３２の間に形成されている。
【００３８】
突出部３８は、エッジ部３７と隣接して内方に突出する湾曲面３９を有している。突出部３８の内面の略全体が湾曲面３９を構成している。湾曲面３９は、電線カバー２０の幅方向においては、左側の係止部２８の左方よりも右方により大きく広がっている。湾曲面３９は、図１に示すように、電線カバー２０が仮の取付位置にあるときには、ハウジング１０に設けられた最も左端に位置するキャビティよりも内側（右側）に配される。なお、突出部３８の外面は、湾曲面３９に沿って凹んでいる。
【００３９】
次に、本実施例における電線カバー付きコネクタＣの組み立て作業（電線カバー２０をハウジング１０に取り付ける作業）の一例を説明する。
まず、電線カバー２０の係止部２８がハウジング１０の第１ガイド部１５と前後方向に対向する位置にし、カバー本体２１の内側に電線Ｗの束を収容して屈曲させつつ、電線カバー２０をハウジング１０の後方から前方に真っ直ぐに接近させる。すると、図９に示すように、電線カバー２０の係止部２８が第１ガイド部１５に至り、係止部２８の左側面が係止受け部１２の第１摺接面１７と摺接し、また、左側の係止部２８の右側面が位置決めリブ１５Ａの第２摺接面１９と摺接する。電線カバー２０は、係止部２８が位置決めリブ１５Ａに当接することによって、左右方向の位置決めがなされ、図１に示すように、突出部３８の湾曲面３９に、電線Ｗが接触した状態になる。ハウジング１０の後面の左端部から引き出された電線Ｗは、開口部３６のエッジ部３７よりも左側の位置から右方に屈曲され、突出部３８の湾曲面３９に当接した状態になる。
【００４０】
電線カバー２０は、第１ガイド部１５と係止部２８とによって、前方への押し込み動作が案内され、図９に示すように、係止部２８の前面（第１係止面２８Ａ）が第１ガイド部１５の突当面１８に突き当たると、電線カバー２０の押し込み動作が制限される。また、係止部２８の右側面が、第２摺接面１９と左右方向に対向して配されることにより、電線カバー２０の右側への移動が制限される。こうして、電線カバー２０は、仮の取付位置に取り付けられる。
【００４１】
電線カバー２０が仮の取付位置に取り付けられた状態では、図１１に示すように、係止部２８の全体が係止受け部１２の前方にずれた位置に配される。また、ハウジング１０の係止受け部１２の後面が、電線カバー２０のスライド面３１に沿って配される。電線カバー２０が仮の取付位置に取り付けられるまでの間、電線Ｗは突出部３８の湾曲面３９に接触し続けている。
【００４２】
次に、電線カバー２０を仮の取付位置から左側にスライド移動させる。電線カバー２０のスライド移動は、図１０に示すように、第２ガイド部１６によって案内される。ここで、図１に示すように、電線カバー２０の位置が、正しい位置よりも若干後方にずれている（係止部２８が仮の取付位置よりも後側にずれている）場合には、係止部２８の誘導面２９が係止受け部１２に当接し、誘導面２９の傾斜によって、係止部２８の位置が前方に矯正される。
【００４３】
電線カバー２０は、図１０に示すように、係止部２８の第１係止面２８Ａが、ストッパ面１３Ａに摺接し、係止部２８の第２係止面２８Ｂが、係止受け部１２の係止受け面１２Ａに摺接して、正規の取付位置に案内される。やがて、係止部２８が、係止受け部１２の前方に至ると、第１係止面２８Ａがストッパ面１３Ａに、第２係止面２８Ｂが係止受け面１２Ａにそれぞれ係止した状態になる。こうして、電線カバー２０が正規の取付位置に取り付けられる。突出部３８の湾曲面３９に接触した電線Ｗは、電線カバー２０のスライド移動に追従して若干左側に弾性復帰しつつ湾曲面３９に接触した状態に保持されている。電線カバー２０が正規の取付位置に取り付けられた状態では、すべての電線Ｗが開口部３６のエッジ部３７よりも右側（内側）に収容される。
以上により、電線カバー２０をハウジング１０に取り付ける作業が完了する。
【００４４】
次に、上記のように構成された実施例の作用および効果について説明する。
本実施例における電線カバー２０は、ハウジング１０から後方に引き出された電線Ｗを内部に収容して所定の方向に屈曲させ、電線引出口３４から外部に引き出すカバー本体２１と、カバー本体２１のうち電線引出口３４と反対側の端部に形成され、後方に切り欠かれた形態をなす開口部３６のエッジ部３７と、カバー本体２１の内面に突設され、エッジ部３７と隣接して内方に突出する湾曲面３９を有する突出部３８と、を備えている。
【００４５】
この構成によれば、ハウジング１０から後方に引き出された電線Ｗは、開口部３６のエッジ部３７ではなく突出部３８の湾曲面３９に接触するから、開口部３６のエッジ部３７に電線Ｗが接触することを抑制することができる。
【００４６】
また、電線カバー２０が、ハウジング１０に対して後方から前方に押し込まれて仮の取付位置に取り付けられた後、前後方向に対して交差する方向にスライドされて正規の取付位置に至るものとされ、仮の取付位置において突出部３８が電線Ｗに接触する位置に配されるようになっており、ハウジング１０に、電線カバー２０を仮の取付位置に案内する第１ガイド部１５が設けられ、電線カバー２０に、第１ガイド部１５に沿って案内される係止部（被ガイド部）２８が設けられている。
【００４７】
この構成によれば、電線カバー２０が、確実に、開口部３６のエッジ部３７ではなく突出部３８の湾曲面３９が電線Ｗに接触する位置に配されるから、電線カバー２０の取り付け過程において開口部３６のエッジ部３７に電線Ｗが接触することを防ぐことができる。
【００４８】
＜他の実施例＞
本発明は上記記述及び図面によって説明した実施例に限定されるものではなく、例えば次のような実施例も本発明の技術的範囲に含まれる。
（１）上記実施例では、電線カバー２０の右側に電線引出口３４が設けられているが、これに限らず、電線カバーの左側に電線引出口が設けられていてもよい。
（２）上記実施例では、電線カバー２０が、ハウジング１０に対して仮の取付位置に取り付けられた後に、横方向にスライドされて正規の取付位置に至るものとされているが、これに限らず、電線カバーは、ハウジングに対して後方から前方に押し込まれて、横方向にスライドすることなく正規の取付位置に取り付けられるものであってもよい。
（３）上記実施例では、電線カバー２０は、仮の取付位置から左方（電線Ｗの引き出し方向とは反対方向）にスライド移動して正規の取付位置に配されるものとされているが、これに限らず、本発明は、仮の取付位置から電線の引き出し方向と同方向にスライド移動して正規の取付位置に配されるものにも適用することができる。
（４）上記実施例では、突出部３８が、カバー本体２１の左端（第１エッジ部３７Ｆ）を含む部位に形成されているが、これに限らず、突出部は、カバー本体の左端から少し内側に離れた部位に形成されていてもよい。
（５）上記実施例では、電線カバー２０の係止部２８が、第１ガイド部１５および第２ガイド部１６に沿って案内される被ガイド部を兼ねているが、これに限らず、ガイド部の沿って案内される被ガイド部を、係止部とは別に設けてもよい。
【符号の説明】
【００４９】
Ｃ…電線カバー付きコネクタ
Ｗ…電線
１０…ハウジング
１５…第１ガイド部（ガイド部）
２０…電線カバー
２１…カバー本体
２８…係止部（被ガイド部）
３４…電線引出口
３６…開口部
３７…エッジ部
３８…突出部
３９…湾曲面
【図１】
2017157416.tif 000003
【図２】
2017157416.tif 000004
【図３】
2017157416.tif 000005
【図４】
2017157416.tif 000006
【図５】
2017157416.tif 000007
【図６】
2017157416.tif 000008
【図７】
2017157416.tif 000009
【図８】
2017157416.tif 000010
【図９】
2017157416.tif 000011
【図１０】
2017157416.tif 000012
【図１１】
2017157416.tif 000013
【図１２】
2017157416.tif 000014